(57)【要約】【課題】  拡大鏡により目元を大きくぱっちりと見ることができるので、中高年にとって繊細な化粧が可能となり、また、若い女性もより上手にアイメイクができるようになるアイシャドウコンパクトを提供する。【解決手段】  コンパクト本体とそれに開閉可能に蓋が取り付けられるアイシャドウコンパクトにおいて、蓋に拡大鏡を設けた。【効果】  拡大鏡により目元を大きくぱっちりと見ることができるので、視力が弱くなった中高年にとっても、深み、知的、うるおい、ミステリアス、アクセントなど、自由な発想で自分のアイメイクをするとき、それに見合う繊細で洗練された化粧が可能となり、また、若い女性もより上手にアイメイクができるようになる。【選択図】    図１
0003117318.tif 000002
【実用新案登録請求の範囲】
【請求項１】
コンパクト本体とそれに開閉可能に蓋が取り付けられるアイシャドウコンパクトにおいて、蓋に拡大鏡を設けたことを特徴とするアイシャドウコンパクト。
【請求項２】
蓋に拡大鏡の他に平面鏡を設け、拡大鏡と平面鏡とを同時にコンパクト本体に対して閉じうるように構成したことを特徴とする請求項１記載のアイシャドウコンパクト。
【考案の詳細な説明】
【技術分野】
【０００１】
この考案は、お洒落の表現として目元を多彩に飾るために携帯される化粧道具としてのアイシャドウコンパクトに関する。
【背景技術】
【０００２】
アイシャドウコンパクトは、一般的に、コンパクト本体に蓋が開閉可能に取り付けられ、コンパクト本体にアイシャドウのつけ床を設ける他、アイシャドウを塗る刷毛や筆等の塗布具の収納部を設けたもので、蓋の内側にはアイシャドウを塗る時に目元を見るための鏡が嵌め込まれていたので、使用においては、一方の手でコンパクト本体を持って目元を写し見ながら他方の手でアイメイクがなされる。
【０００３】
この場合、化粧の中でも目の部分は、全体を引き立てるお洒落のポイントであるので、目元が繊細に美しく整えられるようつとめられるが、普通の鏡を見ながらであるので、殊に、中高年になると見えにくく上手に化粧できなく、例えば、アイシャドウの濃淡、アイラインの引き具合、マスカラのつけ具合などに微妙な作業が難しくなる。外出時に拡大鏡を特別に持参することも考えられるが、これであると、旅行やスポーツクラブ等にでかけたときだと嵩張って面倒である。
【考案の開示】
【考案が解決しようとする課題】
【０００４】
この考案は、上記のような実情に鑑みて、拡大鏡により目元を大きくぱっちりと見ることができるので、中高年にとって繊細な化粧が可能となり、また、若い女性もより上手にアイメイクができるようになるアイシャドウコンパクトを提供することを課題とした。
【課題を解決するための手段】
【０００５】
上記の課題を解決するために、この考案は、コンパクト本体とそれに開閉可能に蓋が取り付けられるアイシャドウコンパクトにおいて、蓋に拡大鏡を設けたことを特徴とするアイシャドウコンパクトを提供する。
【０００６】
アイシャドウコンパクトを上記のように構成したから、これを使用するときには、コンパクト本体から蓋を開くことにより拡大鏡を出し、コンパクト本体に備えられる筆や刷毛等の道具を使ってアイメイクするが、目元が大きく拡大して見えるために、繊細なアイメイクが可能となる。
【考案の効果】
【０００７】
以上説明したように、この考案のアイシャドウコンパクトによれば、拡大鏡により目元を大きくぱっちりと見ることができるので、視力が弱くなった中高年にとっても、深み、知的、うるおい、ミステリアス、アクセントなど、自由な発想で自分のアイメイクをするとき、それに見合う繊細で洗練された化粧が可能となり、また、若い女性もより上手にアイメイクができるようになるという優れた効果がある。
【考案を実施するための最良の形態】
【０００８】
次に、この考案の実施の形態を図面に基づいて説明する。
【０００９】
図１は、一実施の形態を示したもので、そのアイシャドウコンパクトは、コンパクト本体１に蓋２が二つ合わせに閉じるように軸支され、蓋２の内側面に拡大鏡３（凹面鏡）が組み合わせてある。また、コンパクト本体１には、メイク装備として、異なるアイシャドウのつけ床５，５，５，５が嵌め込まれ、また、刷毛７，筆９の収納部１１，１３が設けられる。なお、１５，１５は蓋２を閉じたときに結合する止め部であり、１７は摘まみである。
【００１０】
使用するときには、図示のごとく、拡大鏡３に目を写して、目元の拡大により繊細な部分をも見逃さないで、メイクを施すことができる。
【００１１】
図２は、他の実施形態を示したもので、コンパクト本体１に蓋２が軸支されているが、蓋２の内面には普通の平面鏡４が組み込まれ、平面鏡４の裏側に拡大鏡３がスライドにより出し入れ自在となっている。このような構造をとるため、蓋２は浅い箱形であって、その開放側に平面鏡４を嵌め込んで中空であり、一側に箱内に拡大鏡３を収める挿入孔１９が設けられる。したがって、平面鏡４だけを使用するときには、拡大鏡３は仕舞っておき、使用するときには横へ引き出すことになる。なお、同図において、コンパクト本体１におけるつけ床や筆等のメイク装備を省略して図示した。以下の図３，図４においても同じく省略した。
【００１２】
図３は、図２と同様の形態であるが、拡大鏡３を軸２１を中心に反転して出し入れできるようにしたものである。したがって、挿入孔２０は側面と上面とにわたって設けられる。また、この場合は、横へ拡大鏡３を出すようにしてあるが、上に反転して出すようにすることもできる。
【００１３】
図４および図５は、さらに他の実施形態を示したもので、この場合は、コンパクト本体１に対して、拡大鏡３と平面鏡４とを、重なりの状態（図４の実線）から左右対等に（一点鎖線と二点鎖線で示すように）開き得るようにしたもので、その機能を付与するために、コンパクト本体１にヒンジ２３で折り曲がるアーム２４を突設し、拡大鏡３（蓋２）と平面鏡４とにそれぞれ突片２５，２６を突設し、アーム２４の先端に両突片２５，２６をピン２７により軸支した。
【００１４】
この例の場合、拡大鏡３が蓋２側となっており、その内側（前面となる側に）平面鏡４が重なるようにピン２７で結合している。なお、図４の実線では拡大鏡３が背後にあることを示すために、平面鏡４を半分程度切り欠いて示した。そのピン２７の部分がアーム２４の折り曲がる先端であるので、拡大鏡３と平面鏡４とを重ね合わせ、この状態で、ヒンジ２３で折り曲げることによりコンパクト本体１に重ね合わせると、図５のようにコンパクト本体１の上に平面鏡４と拡大鏡３（蓋２）が被さる閉じた状態となる。そこで、使用するときに、ヒンジ２３で開くと、まず平面鏡４が出るから（図４の実線の状態）、両方を同時に使用するときには、拡大鏡３と平面鏡４とを（又は一方だけでも良い）左右に開く。
【図面の簡単な説明】
【００１５】
【図１】この考案の一実施形態を使用状態で示す正面から見たアイシャドウコンパクトの斜視図である。
【図２】他の実施形態を使用状態で示すアイシャドウコンパクトの斜視図である。
【図３】同類の他の実施形態を使用状態で示すアイシャドウコンパクトの斜視図である。
【図４】さらに他の実施形態を使用状態で示すアイシャドウコンパクトの斜視図である。
【図５】同アイシャドウコンパクトを閉じた状態で示す平面図である。
【符号の説明】
【００１６】
１  コンパクト本体
２  蓋
３  拡大鏡
４  平面鏡
【図１】
0003117318.tif 000003
【図２】
0003117318.tif 000004
【図３】
0003117318.tif 000005
【図４】
0003117318.tif 000006
【図５】
0003117318.tif 000007